【事件の表示】
　特願２００８−２９２５５４「医療用レポートシステム」拒絶査定不服審判事件〔平成２２年　５月２７日出願公開，特開２０１０−１１５４３２〕について，次のとおり審決する。
【結　論】
　本件審判の請求は，成り立たない。
【理　由】
第１　手続の経緯　
　本願は，平成２０年１１月１４日を出願日とする出願であって，平成２４年４月１１日付けで拒絶査定がなされ，これに対し，同年７月１７日に拒絶査定不服審判が請求されるとともに，同日付けで手続補正（以下「本件補正」という）がなされたものである。そして，当審において，平成２４年９月２１日付け前置報告の内容を平成２５年４月９日付けで審尋し，請求人から同年６月１７日に回答書が提出されたものである。　
　　
第２　本願発明　
　本件補正は，補正前の請求項１において，「前記表示端末装置の前記操作部に対する所定の操作により指定された当該医療用画像データ上の位置に
応じた
おいて
　そうすると，本願の請求項１〜３に係る発明は，本件補正により補正された特許請求の範囲の請求項１〜３に記載された事項により特定されたとおりのものと認められ，そして，「前記画像
データ
サーバ
　　
「医療用画像生成機器から医療用画像データと，当該医療用画像データの生成時に作成された，当該医療用画像データに写る患部部位名を示す患部部位データと，を取得し記憶する画像サーバと，　
　前記画像サーバに記憶された医療用画像データを表示する表示端末装置と，　
　前記表示端末装置の表示における制御を行う表示制御装置と，　
　を有する医療用レポートシステムであって，　
　前記表示端末装置は，　
　　レポート作成者の入力を受け付ける操作部と，　
　　表示を行うための表示部と，　
　を有し，　
　前記表示制御装置は，　
　　前記医療用画像データを前記表示端末装置の前記表示部に表示させた状態で，前記表示端末装置の前記操作部に対する所定の操作により指定された当該医療用画像データにおいて，医療用レポートを作成するためのレポート入力ウインドウを前記医療用画像データに重畳して前記表示端末装置の前記表示部に表示させるとともに，前記指定された当該医療用画像データ上の位置に応じて，前記画像サーバから前記医療用画像データとともに前記患部部位データを読み出し，前記レポート入力ウインドウ内に当該位置に対応する患部部位名を表示する　
　医療用レポートシステム。」（以下「本願発明」という）　
　　
第３　引用刊行物およびその記載事項　
１　原査定の理由に引用され，本願の出願前に頒布された刊行物である特開平６−２７４５８２号公報（以下「刊行物」という）には，「医用画像ファイリングシステム」に関して，以下の事項が記載されている。　
　　
（１−ア）　
「【００１４】本発明は上記の課題を解決するため，次のように構成した。
（丸数字１）：少なくとも，医用診断装置１から得られる画像データと，該画像データに付帯する患者固有情報等を記録する記録装置７と，該画像データを含む各種情報等の表示を行う表示装置８Ａとを具備し，上記表示装置８Ａの表示画面上で，上記画像データを読影可能な医用画像ファイリングシステムにおいて，診断に必要となるデータ項目（『診断部位』，『位置条件』，『候補データ』等）を，予めデータベースとして保持する診断データベース部２１と，表示装置８Ａに表示した画像データ上で，任意領域を指定し，その位置情報を得るポインティングデバイス１７と，上記任意領域の位置に対応する診断データを，診断データベース部２１から，『候補データ』として選択する候補データ選択部１８と，上記『候補データ』を，表示画面上に表示されている画像データに重畳して表示する表示制御部１９と，上記『候補データ』が，表示画面上で，ポインティングデバイス１７によって選択された際，選択後の『候補データ』を，『診断位置情報』，『画像データ』，『患者固有情報』等と共に，記録装置７へ記録する記録部２０とを備えた。
【００１５】（丸数字２）：構成（丸数字１）において，診断データベース部２１に，医用画像ファイリングシステム運用上，考えられる診断データ等を保持する親データベース２９と，診断に必要なデータを保持する子データベース３０と，上記親データベース２９，及び子データベース３０に対して，データの追加，削除，編集等の処理を行うデータベース編集部４０と，各患者の診断情報から，親データベース２９，又は子データベース３０に保持している『候補データ』を抽出する候補データ抽出部４１とを具備した。　
【００１６】（丸数字３）：構成（丸数字１）において，表示制御部１９に，予め定めた大きさのウインドウ（窓）内に，上記『候補データ』を少なくとも１つ表示するウインドウ表示部３４と，上記ポインティングデバイス１７の指定により，ウインドウ（窓）内に表示する『候補データ』を，順次切り換える表示切り換え部３３を設けた。」　
　　
（１−イ）　
「【００１９】　
【作用】上記構成に基づく本発明の作用を，図１に基づいて説明する。　
（ａ）：画像データのファイリング処理を行う際，先ず，ポインティングデバイス１７によって，表示装置８Ａの表示画面に表示された画像上で，利用者（医者等）が，任意領域を指定する。　
【００２０】すると，候補データ選択部１８によって，その指定された位置情報を元に，診断データベース部２１から『候補データ』が選択される。その後，選択された『候補データ』は，表示制御部１９によって表示装置８Ａの表示画面上で表示される。　
【００２１】利用者は，表示された『候補データ』の中から，再びポインティングデバイス１７を用いて，『候補データ』を指定する。すると，指定された候補データは，記録部２０のデータ書式変換部３９により，所望の『診断レポート』の書式に変換され，記録装置７に記録される。」　
 　　
（１−ウ）　
「【００２５】（ｃ）：表示制御部１９には、表示切り換え部３３、ウインドウ表示部３４を設けておき、表示装置８Ａの表示画面で、ウインドウ表示をしたり、表示の切り換えを行う。　
【００２６】この場合、表示装置８Ａの表示画面で、適当な大きさのウインドウを表示し、該ウインドウの中に、表示出来る数の候補データを表示する。また、ウインドウの一部には、例えば、スクロールバー等を設定しておく。利用者は、ポインティングデバイス１７を使用して、このスクロールバーを上下させる。　
【００２７】この時、ウインドウ内の候補データが、現在末表示されている候補データに切り替わって表示される。このような構成により、少ない面積で多量の情報量を取り扱う事が出来る。」　
　　
（１−エ）　
「【００３２】§１：医用画像ファイリングシステムの説明・・・図２参照
図２に示したように，医用画像ファイリングシステム５には，ファイリング処理装置６，インターフェース部（Ｉ／Ｆ）１６，ポインティングデバイス１７，候補データ選択部１８，表示制御部１９，ＣＲＴ（表示装置）８，記録部２０，キーボード９，診断データベース部２１，記録装置７等を設ける。　
【００３３】上記各部の機能等は，次の通りである。　
（ａ）：ファイリング処理装置６は，例えば，ワークステーション等の計算機で構成され，システム全体の制御を行うものである。　
【００３４】（ｂ）：インターフェース部（Ｉ／Ｆ）１６は，システムバスと，外部の医用診断装置１との間に設けてあり，インターフェース処理を行うものである。　
（ｃ）：診断データベース部２１は，磁気ディスク装置，或いは光ディスク装置等の記録装置（又は記憶装置）を用いて構成された診断用のデータベースである。　
【００３５】この診断データベース部２１には，例えば『診断部位』，『位置条件』，『候補データ』等の診断に必要なデータや，その他システム運用上必要な各種のデータが格納されている。　
【００３６】（ｄ）：記録装置７は，磁気ディスク装置，或いは光ディスク装置で構成された記録装置（又は記憶装置）であり，『画像データ』や，該画像データに付帯する『患者固有情報』，『診断レポート』等を記録するものである。　
【００３７】（ｅ）：表示制御部１９は，ＣＲＴ８で表示する表示データの各種制御等を行うものである　。　
（ｆ）：記録部２０は，記録装置７に記録するデータの各種処理を行うものである。　
【００３８】（ｇ）：候補データ選択部１８は，例えば，ＣＲＴ８に表示された画像データ上で，ポインティングデバイス１７により指定された任意領域の位置に対応する診断データを，診断データベース部２１中から，『候補データ』として，選択するものである。　
【００３９】（ｈ）：ポインティングデバイス１７は，マウス，或いはトラックボール等で構成されるものであり，ＣＲＴ８に表示された画像データ上で，任意領域を指定し，その位置情報を得るものである。　
【００４０】（ｉ）：ＣＲＴ（表示装置）８は，画像データ等の表示を行うものである。　
§２：診断データベースの説明・・・図３参照　
図３は，診断データベース部２１に予め保持している診断データベースの１例である。　
【００４１】この例では，診断データベースに，『医用診断装置』，『診断部位』，『位置条件』（指定領域の中心座標ｘ，ｙ），『候補データ』の各データ項目があり，該『候補データ』の項目には，『診断部位詳細』と，『所見データ』の項目がある。　
【００４２】そして，この診断データベースは，階層構造になっており，『医用診断装置』→『診断部位』→『診断部位詳細』→『位置条件』→『所見データ』の順に深い階層となる。　
【００４３】図３に示した例は，最も簡単なデータベース構成であり，診断形態に応じて，更に細分化出来ることは，いうまでもない。実際の運用では，得られている事項以降の階層からデータ検索を行えば良い。　
【００４４】例えば，『医用診断装置』，及び『診断部位』が判っている場合，診断データの検索は，『診断部位詳細』から開始されることとなる。なお，階層構造をなすデータベースにおける検索技法は，従来技術と同じなので，説明は省略する。　
【００４５】上記データベースにおいて，例えば，超音波診断装置を用いて心臓検査を『４腔アプローチ』で行ったとする。この場合，『医用診断装置』は超音波診断装置であり，『診断部位』は，４腔と判っているので，検索は，『診断部位詳細』から，開始される。　
【００４６】検索時には，候補データ選択部１８により，ポインティングデバイス１７によって得られた『位置情報』と，診断データベースが持つ『位置情報』とが比較され，この時の条件に合った『診断部位詳細』及び『所見データ』が『候補データ』として，上記診断データベース部２１から抽出される。　
【００４７】例えば，図３において，指定領域の中心座標を，『位置情報』として用いるのならば，中心（ｘ，ｙ）＝（１１０，４０）であれば，『診断部位詳細』の『候補データ』として『左室』，『所見データ』の『候補データ』として，『流出路狭窄』，『肥大』，『壁運動異常』が選択される。
【００４８】選択された『候補データ』は，表示制御部１９の制御により，ＣＲＴ８の表示画面上にポップアップ表示される。　
§３：画像データのファイリング処理の説明・・・図４，図５参照　
図４は画像データのファイリング処理の説明図１，図５は画像データのファイリング処理の説明図２である。以下，図４，図５に基づいて，画像データのファイリング処理を説明する。　
【００４９】（丸数字１）：ファイリング処理の共通的な説明　
医用診断装置に超音波診断装置を用いた場合の画像データのファイリング処理の１例を説明する。ファイリング処理は次のようにして行う。　
【００５０】医用画像ファイリングシステム５では，医用診断装置１の１種である超音波診断装置で取得した患者の画像データを取り込む。そして，ファイリング処理装置６の指示により，表示制御部１９が，ＣＲＴ８の表示画面上に，上記画像データを表示する。　
【００５１】その後，利用者は，表示された画像データに，付帯情報を付けて記録装置７に記録する。この場合の処理は，次の通りである。始めに，マウスやトラックボール等のポインティングデバイス１７によって，ＣＲＴ８の表示画面に表示された画像上で，利用者（医者等）が，任意領域を指定する。　
【００５２】すると，候補データ選択部１８によって，その指定された位置情報を元に，診断データベース部２１から『候補データ』が選択される。その後，選択された『候補データ』は，表示制御部１９によってＣＲＴ８の表示画面上で表示される。　
【００５３】利用者（例えば，医者）は，表示された『候補データ』の中から，再びポインティングデバイス１７を用いて，診断データを指定する。すると，指定された診断データは，記録部２０により，所望の『診断レポート』の書式に変換され，記録装置７に記録される。以下，具体例について説明する。」　
　　
（１−オ）　
「【００５４】（丸数字２）：具体例１の説明・・・図４参照　
図４（Ａ）に示したように，表示された画像の任意領域を，ポインティングデバイス１７により指定すると，候補データ選択部１８では，その領域の位置情報を用いて，候補となる診断データを，診断データベース部２１から抽出する。　
【００５５】その後，抽出された候補データは，表示制御部１９により，図４（Ｂ）に示したように，ＣＲＴ８の表示画面上に診断画像と共に重畳表示する。図４（Ｂ）は，ポインティングデバイス１７（例えば，マウス操作によるカーソル移動）によって，『僧坊弁』付近を指定した場合である。　
【００５６】この場合，『候補データ』は，図３に示した診断データベースから選択されるものであり，『診断部位詳細』では，僧坊弁が候補データとなり，『所見データ』では，弁閉鎖不全，逆流シグナル，僧坊弁膜症が候補データとなる。　
【００５７】次に，利用者は，所望の診断データを，表示されている候補データ中より，ポインティングデバイス１７により選択する。図４（Ｃ）の場合，『診断部位詳細』は僧坊弁，『所見データ』は，『弁閉鎖不全』が選択されたことになる。　
【００５８】その後，図４（Ｄ）に示したように，上記診断データ（候補データから選択したもの）を元に，診断レポートに所望の形式で記録される。
（丸数字３）：具体例２の説明・・・図５参照　
図５は，画像データファイリング処理の説明図２である。図５示した例は，図４とは別の例であり，この例では，『診断部位』は，『心室中隔』，『所見データ』は，『中隔欠損』である。なお，他の点は，図４と同じである。
【００５９】すなわち，図５（Ａ）に示したように，表示された画像の任意領域を，ポインティングデバイス１７により指定すると，候補データ選択部１８では，その領域の位置情報を用いて，候補となる診断データを，診断データベース部２１から抽出し，図５（Ｂ）のように，ＣＲＴ８の表示画面上に診断画像と共に重畳表示する。　
【００６０】図５（Ｂ）は，ポインティングデバイス１７によって，『心室中隔』付近を指定した場合である。この場合，『候補データ』は，図３に示した診断データベースから選択される。すなわち，『診断部位詳細』では，心室中隔が候補データとなり，『所見データ』では，中隔欠損，中隔肥大，運動異常が候補データとなる。　
【００６１】次に，利用者は，所望の診断データを，表示されている候補データ中より，ポインティングデバイス１７により選択する。図５（Ｃ）の場合，『診断部位詳細』は心室中隔，『所見データ』は，『中隔欠損』が選択されたことになる。　
【００６２】その後，図５（Ｄ）に示したように，上記診断データを元に，診断レポートに所望の形式で記録される。」　
　　
 　そして，上記記載事項（１−ア）〜（１−オ）および図１〜５を総合すると，刊行物には以下の発明が記載されていると認められる。　
　　
「医用診断装置１から得られる画像データと，該画像データに付帯する患者固有情報等を記録する記録装置７と，該画像データを含む各種情報等の表示を行う表示装置８Ａと，表示装置８Ａの表示における制御を行う表示制御部１９と，利用者による操作で表示画面に表示された画像上で任意領域を指定するポインティングデバイス１７とを備えた医用画像ファイリングシステムであって，　
　前記表示装置８Ａに表示された前記画像データ（診断画像）の任意領域をポインティングデバイス１７により指定すると，その領域の位置情報を用いて，候補となる診断データを診断データベース部２１から抽出し，抽出された候補データが表示装置８Ａの表示画面上のウインドウ内に表示され，かつ，該ウインドウが前記画像データ（診断画像）と重畳表示され，前記候補データとして，前記画像データ（診断画像）上の前記ポインティングデバイス１７により指定された位置に応じて前記診断データベース部２１から診断部位詳細が抽出され，前記候補データから選択された診断データが，診断レポートに所望の形式で記録される医用画像ファイリングシステム。」（以下「引用発明」という）　
　　　　
第４　対比・判断　
１　対比　
　本願発明と引用発明を対比すると，　
（１）引用発明の「医用診断装置１」，「画像データ」，「表示制御部１９」，「ポインティングデバイス１７」，「表示装置８Ａ」および「診断レポート」は，その機能・構造から見て，それぞれ，本願発明の「医療用画像生成機器」，「医療用画像データ」，「表示制御装置」，「操作部」，「表示部」および「医療用レポート」に相当することは明らかである。　
　　
（２）上記記載事項（１−イ）の「指定された候補データは，記録部２０のデータ書式変換部３９により，所望の『診断レポート』の書式に変換され，記録装置７に記録される。」からみて，引用発明の「医用画像ファイリングシステム」は，「診断レポート」を作成しているといえるから，引用発明は，本願発明と同様の「医療用レポートシステム」を含むものである。してみると，両発明は，「医療用レポートシステム」である点で共通する。　　
（３）引用発明の「記録装置７」は，「医用診断装置１から得られる画像データと，該画像データに付帯する患者固有情報等を記録する」ものであるから，本願発明の「医療用画像生成機器から医療用画像データと，当該医療用画像データの生成時に作成された，当該医療用画像データに写る患部部位名を示す患部部位データと，を取得し記憶する画像サーバ」とは，「医療用画像生成機器から医療用画像データを取得し記憶する画像記憶装置」である点で共通する。
　　
（４）引用発明は，クライアント・サーバシステムであって，端末装置を含まないものの，「ポインティングデバイス１７」と「表示装置８Ａ」を有し，「画像データを含む各種情報等の表示を行う」のであるから，本願発明の「表示端末装置」と同等の機能を備えているといえる。してみると，両発明は，「表示手段」を有している点で共通する。　
　　
（５）引用発明の「候補データ」として抽出される「診断部位詳細」は，「画像データ（診断画像）上のポインティングデバイス１７により指定された位置に応じて」抽出されるものであり，上記記載事項（１−オ）において「診断部位詳細」として，「左室」あるいは「僧坊弁」といった画像データ（診断画像）上の部位を示すものが例示されていることからみて，上記「診断部位詳細」は，本願発明の「医療用画像データに写る患部部位名を示す患部部位データ」に相当するといえる。　
　　
（６）引用発明の「ウインドウ」内に表示される候補データから選択された診断データが，診断レポートに所望の形式で記録されるのであるから，該「ウインドウ」は，「医療用レポート」を作成するために使用されているといえる。　
　そして，引用発明の「ウインドウ」は，「画像データ（診断画像）と重畳表示され」，「前記候補データとして，前記画像データ（診断画像）上の前記ポインティングデバイス１７により指定された位置に応じて前記診断データベース部２１から診断部位詳細が抽出され」るのであるから，本願発明の「レポート入力ウインドウ」に相当するといえる。　
　　
　そうすると，両者は，　
（一致点）　
「医療用画像生成機器から医療用画像データを取得し記憶する画像記憶装置と，　
　前記画像サーバに記憶された医療用画像データを表示する表示手段と，　
　前記表示手段の表示における制御を行う表示制御装置と，　
　を有する医療用レポートシステムであって，　
　前記表示手段は，　
　　レポート作成者の入力を受け付ける操作部と，　
　　表示を行うための表示部と，　
　を有し，　
　前記表示手段は，　
　　前記医療用画像データを前記表示手段の前記表示部に表示させた状態で，前記表示手段の前記操作部に対する所定の操作により指定された当該医療用画像データにおいて，医療用レポートを作成するためのレポート入力ウインドウを前記医療用画像データに重畳して前記表示手段の前記表示部に表示させるとともに，前記指定された当該医療用画像データ上の位置に応じて，前記レポート入力ウインドウ内に当該位置に対応する患部部位名を表示する
　医療用レポートシステム。」　
である点で一致し，以下の点にて相違する。　
　　
（相違点）　
　「画像記憶装置」および「表示手段」について，本願発明では，クライアント・サーバ式であって，「医療用画像生成機器から医療用画像データと，当該医療用画像データの生成時に作成された，当該医療用画像データに写る患部部位名を示す患部部位データと，を取得し記憶する画像サーバ」と「表示端末装置」を備え，「前記画像サーバから前記医療用画像データとともに前記患部部位データを読み出」すのに対して，引用発明では，クライアント・サーバ式ではなく，そのような構成を備えていない点。　
　　
２　判断　
（１）相違点について　
　本願発明や引用発明のような病院内医療用画像システムにおいて，医療用画像を表示させる表示端末装置をＲＩＳ(Radiology Information System（放射線科情報システム）)，ＨＩＳ(Hospital Information System（病院情報システム）)等の周知の病院内ネットワークシステムに接続し，各種モダリティから取得された医療用画像データを，当該医療用画像データに対応する検査部位名を含む所定の患者情報とともに画像サーバに記憶させること，すなわち，クライアント・サーバ式とすることは，当該技術分野においても一般的に行われている周知・慣用の技術に過ぎない。例えば，特開２００５−１８２１７９号公報を参照。　
　そして，クライアント・サーバ式を採用する際に，画像サーバに「医療用画像データの生成時に作成された，当該医療用画像データに写る患部部位名を示す患部部位データ」記憶し，該画像サーバから該「患部部位データ」を読み出すように構成することは，適宜選択し得る設計的事項に過ぎないというべきである。　
　したがって，引用発明に上記周知・慣用の技術を適用して，医療用画像データ及び患部部位データを記憶する画像サーバを設け，相違点における本願発明の構成とすることは，システムが大きくなってくると十分動機付けが存在し，何ら阻害要因もなく，当業者が容易に想到し得ることといえる。　
　　
（２）効果について　
　相違点により奏する効果も，当業者ならば，刊行物の記載および周知・慣用の技術から予測し得る範囲のものに過ぎず，格別顕著なものとはいえない。　
　　
（３）請求人の請求の理由について　
「補正後の請求項１に係る発明（本願発明）は画像データの表示時に，領域指定操作をせずに，自動的にレポート入力ウインドウを表示させるものです。 
　審査官殿もご認識されているように，引用文献１及び２では，操作により指定された領域に対応した医療用画像データ城の位置に応じたレポート入力ウインドウを表示させるものであって，本願発明のように，領域指定操作をせずに，自動的にレポート入力ウインドウを表示させるものではありません。また，領域指定操作をせずに，自動的にレポート入力ウインドウを表示させることについては，引用文献１及び２には記載も示唆もされていません。」と主張している。　
　しかしながら，補正後の請求項１は，　
「前記医療用画像データを前記表示端末装置の前記表示部に表示させた状態で，前記表示端末装置の前記操作部に対する所定の操作により指定された当該医療用画像データにおいて，医療用レポートを作成するためのレポート入力ウインドウを前記医療用画像データに重畳して前記表示端末装置の前記表示部に表示させるとともに，
前記指定された当該医療用画像データ上の位置に応じて，前記画像サーバから前記医療用画像データとともに前患部部位データを読み出し，前記レポート入力ウインドウ内に当該位置に対応する患部部位名を表示する　
と特定されており，本願発明も，医療用画像データ上の位置を指定し，指定された医療用画像データ上の位置に対応する患部部位名がレポート入力ウィンドウ内に表示されるものであるといえるから，請求人が主張する「領域指定操作をせずに，自動的にレポート入力ウインドウを表示させる」は，請求項１の記載に基づかないものである。　
　したがって，上記請求人の主張は採用できない。　
　　
３　まとめ　
　以上のことから，本願発明は，引用発明および周知・慣用の技術に基づいて当業者が容易に発明をすることができたものである。　
　　
第５　むすび　
　以上のとおり，本願発明は，特許法第２９条第２項の規定により，特許を受けることができないから，その余の請求項に係る発明について言及するまでもなく，本願は拒絶されるべきものである。　
　よって，結論のとおり審決する。